(57)【特許請求の範囲】
【請求項１】
印刷装置におけるブランケット胴の外周部に対して、その両端部に装着用金具が付設されたブランケットを装着するための印刷装置のブランケット装着装置であって、
前記ブランケット胴の胴あき部内に形成され、前記ブランケットの先端部に付設された装着用金具と係合する段差部と、前記装着用金具を前記段差部方向に向けて押圧する押圧部材と、前記押圧部材による前記装着用金具への押圧を解除するための解除部材とを有し、前記ブランケットの先端部に付設された装着用金具を挿入することにより当該装着用金具を固定する先端部保持機構と、
前記ブランケットの後端部に付設された装着用金具と係合した状態で、前記ブランケットを当該ブランケットが張力を付与される方向に牽引する後端部保持機構と、を備え、
前記押圧部材は、前記ブランケット胴の軸線方向に延びる軸を中心に回動することにより、前記装着用金具を前記段差部に向けて押圧する押圧位置と当該押圧位置から退避した退避位置との間を移動可能な偏芯カムと、当該偏芯カムを押圧位置に向けて付勢する付勢部材とから構成され、
前記解除部材は、前記偏芯カムを押圧位置から退避位置に移動させるための前記偏芯カムに付設されたレバーから構成されることを特徴とする印刷装置のブランケット装着装置。
【請求項２】
請求項１に記載の印刷装置のブランケット装着装置において、
前記後端部保持機構は、
前記ブランケット胴の胴あき部内において、前記ブランケット胴の軸線方向に向けて配設され、前記ブランケットの後端部に付設された装着用金具を挿入するための溝部を有する取付軸と、
前記取付軸を前記ブランケットが牽引される方向に回転させる取付軸回転機構と、
を有する印刷装置のブランケット装着装置。
【発明の詳細な説明】
【０００１】
【発明の属する技術分野】
この発明は、印刷装置におけるブランケット胴に対して、その両端部に装着用金具が付設されたブランケットを装着するための印刷装置のブランケット装着装置に関する。
【０００２】
【従来の技術】
印刷装置におけるブランケット胴にブランケットを装着するためのブランケット装着装置としては、従来、ブランケットの両端部を互いに牽引する構成のものが知られている。このブランケット装着装置は、一対の回転軸をブランケット胴の胴あき部内においてブランケット胴の軸線方向に向けて配設し、ブランケットの両端部に付設された装着用金具をこれらの回転軸に形成された溝部内に挿入した上で、これらの回転軸を互いに反対方向に回転させてブランケットの両端部を互いに牽引することにより、ブランケットの両端部に付設された装着用金具を一対の回転軸の溝部内で固定して、ブランケットをブランケット胴に装着する構成を有する。
【０００３】
【発明が解決しようとする課題】
上述した従来のブランケット装着装置においては、ブランケットをブランケット胴に装着する際に、ブランケット胴の胴あき部内に配設された一対の回転軸を互いに反対方向に回転させる必要があることから、ブランケットの装着に手間を要するという問題がある。
【０００４】
この発明は上記課題を解決するためになされたものであり、ブランケット胴に対してブランケットを容易に装着することができるブランケット装着装置を提供することを目的とする。
【０００５】
【課題を解決するための手段】
請求項１に記載の発明は、印刷装置におけるブランケット胴の外周部に対して、その端部に装着用金具が付設されたブランケットを装着するための印刷装置のブランケット装着装置であって、前記ブランケット胴の胴あき部内に形成され、前記ブランケットの先端部に付設された装着用金具と係合する段差部と、前記装着用金具を前記段差部方向に向けて押圧する押圧部材と、前記押圧部材による前記装着用金具への押圧を解除するための解除部材とを有し、前記ブランケットの先端部に付設された装着用金具を挿入することにより当該装着用金具を固定する先端部保持機構と、前記ブランケットの後端部に付設された装着用金具と係合した状態で、前記ブランケットを当該ブランケットが張力を付与される方向に牽引する後端部保持機構とを備え、前記押圧部材は、前記ブランケット胴の軸線方向に延びる軸を中心に回動することにより、前記装着用金具を前記段差部に向けて押圧する押圧位置と当該押圧位置から退避した退避位置との間を移動可能な偏芯カムと、当該偏芯カムを押圧位置に向けて付勢する付勢部材とから構成され、前記解除部材は、前記偏芯カムを押圧位置から退避位置に移動させるための前記偏芯カムに付設されたレバーから構成されることを特徴とする。
【０００６】
請求項２に記載の発明は、請求項１に記載の印刷装置のブランケット装着装置において、前記後端部保持機構は、前記ブランケット胴の胴あき部内において、前記ブランケット胴の軸線方向に向けて配設され、前記ブランケットの後端部に付設された装着用金具を挿入するための溝部を有する取付軸と、前記取付軸を前記ブランケットが牽引される方向に回転させる取付軸回転機構とを有する。
【０００７】
【発明の実施の形態】
以下、この発明の実施の形態を図面に基づいて説明する。図１はこの発明に係るブランケット装着装置を適用する印刷装置の側面概要図である。
【０００８】
この印刷装置は、第１、第２の版胴１１、１２に保持された画像が記録されていない印刷版に画像を記録して製版した後、この印刷版に供給されたインキを第１、第２のブランケット胴１３、１４を介して圧胴１５に保持された印刷用紙に転写することにより印刷を行うものである。
【０００９】
この印刷装置は、図１において実線で示す第１の印刷位置と二点鎖線で示す画像記録位置との間を移動可能な第１の版胴１１と、図１において実線で示す第２の印刷位置と上記画像記録位置との間を移動可能な第２の版胴１２とを有する。
【００１０】
第１の印刷位置に移動した第１の版胴１１の周囲には、印刷版に例えばブラック（Ｋ）のインキを供給するためのインキ供給装置２０ａと、印刷版に例えばマゼンタ（Ｍ）のインキを供給するためのインキ供給装置２０ｂと、印刷版に湿し水を供給するための湿し水供給装置２１ａ、２１ｂとが配置されている。また、第２の印刷位置に移動した第２の版胴１２の周囲には、印刷版に例えばシアン（Ｃ）のインキを供給するためのインキ供給装置２０ｃと、印刷版に例えばイエロー（Ｙ）のインキを供給するためのインキ供給装置２０ｄと、印刷版に湿し水を供給するための湿し水供給装置２１ｃ、２１ｄとが配置されている。さらに、画像記録位置に移動した第１の版胴１１または第２の版胴１２の周囲には、給版部２３と、排版部２４と、画像記録装置２５と、現像処理装置２６とが配置されている。
【００１１】
また、この印刷装置は、第１の版胴１１と当接可能に設けられた第１のブランケット胴１３と、第２の版胴１２と当接可能に設けられた第２のブランケット胴１４と、第１、第２のブランケット胴１３、１４に対して互いに異なる位置で当接可能に設けられた圧胴１５と、給紙部２７から供給された印刷用紙を圧胴１５に渡すための給紙胴１６と、圧胴１５から受け取った印刷済の印刷用紙を排紙部２８に排出するためのチェーン１９を巻回した排紙胴１７と、ブランケット洗浄装置２９とを有する。
【００１２】
上記第１、第２の版胴１１、１２は、それぞれ図示しない版胴移動機構と連結されており、この版胴移動機構の駆動により、上述した第１または第２の印刷位置と画像記録位置との間を往復移動する。また、図示しないモータの駆動により、第１の版胴１１は、第１の印刷位置において第１のブランケット胴１３と同期して回転し、第２の版胴１２は、第２の印刷位置において第２のブランケット胴１４と同期して回転するよう構成されている。さらに、画像記録位置近傍には、図示しない版胴回転機構が配設されており、第１、第２の版胴１１、１２は、いずれも、画像記録位置に移動した状態において、この版胴回転機構の駆動により回転するよう構成されている。
【００１３】
画像記録位置に移動した第１の版胴１１または第２の版胴１２の周囲には、給版部２３と排版部２４とが配置されている。
【００１４】
給版部２３には、画像が記録されていない長尺ロール状の印刷版を光密な状態で収納する供給カセット６３と、この供給カセット６３から引き出した印刷版の先端部を第１の版胴１１または第２の版胴１２の表面に案内するためのガイド部材６４およびガイドローラ６５と、長尺の印刷版を切断してシート状の印刷版とするためのカッター６６とが配設されている。また、第１、第２の版胴１１、１２には、給版部２３より供給された印刷版の先端部と後端部とをくわえるための図示しない一対のくわえ爪が配設されている。
【００１５】
排版部２４は、印刷完了後に第１の版胴１１または第２の版胴１２上に保持された印刷版を剥がすための爪機構７３と、爪機構７３の作用により剥がされた印刷版を排出カセット６８に搬送するためのコンベア機構６９と、排出カセット６８を有する。
【００１６】
給版部２３における供給カセット６３から引き出された印刷版の先端部は、ガイドローラ６５およびガイド部材６４により案内され、第１の版胴１１または第２の版胴１２の一方のくわえ爪にくわえられる。そして、第１の版胴１１または第２の版胴１２が版胴回転機構３０の駆動により回転し、印刷版が第１の版胴１１または第２の版胴１２の外周部に巻き付けられる。そして、カッター６６で切断された印刷版の後端部は、他方のくわえ爪によりくわえられる。この状態において、第１の版胴１１または第２の版胴１２を低速で回転させながら、画像記録装置２５により第１の版胴１１または第２の版胴１２の外周部に保持された印刷版の表面に変調されたレーザビームを照射し、画像を記録する。
【００１７】
なお、第１の版胴１１の外周部に装着された印刷版Ｐには、画像記録装置２５により、図２（ａ）に示すように、ブラックのインキで印刷を行うための画像領域６７ａと、マゼンタのインキで印刷を行うための画像領域６７ｂとが記録される。また、第２の版胴１２の外周部に装着された印刷版Ｐには、画像記録装置２５により、図２（ｂ）に示すように、シアンのインキで印刷を行うための画像領域６７ｃと、イエローのインキで印刷を行うための画像領域６７ｄとが記録される。画像領域６７ａと画像領域６７ｂとは、第１の版胴１１の外周部に装着された状態において、均等に振り分けられた状態（すなわち互いに１８０度離隔した状態）となる位置に記録される。同様に、画像領域６７ｃと画像領域６７ｄとは、第２の版胴１２の外周部に装着された状態において、均等に振り分けられた状態（すなわち互いに１８０度離隔した状態）となる位置に記録される。
【００１８】
再度図１を参照して、上述したように、第１の印刷位置に移動した第１の版胴１１の周囲には、インキ供給装置２０ａとインキ供給装置２０ｂとが、また、第２の印刷位置に移動した第２の版胴１２の周囲には、インキ供給装置２０ｃとインキ供給装置２０ｄとが配置されている。これらのインキ供給装置２０ａ、２０ｂ、２０ｃおよび２０ｄ（これらを総称する場合には「インキ供給装置２０」という）は、各々、複数のインキローラ７１とインキつぼ７２とを有する。
【００１９】
インキ供給装置２０ａ、２０ｂのインキローラ７１は、図示しないカム等の作用で揺動動作を行う。そして、この揺動動作により、第１の版胴１１の外周部に保持した印刷版Ｐに形成された２個の画像領域６７ａ、６７ｂのうちの任意の画像領域に、インキ供給装置２０ａまたは２０ｂのインキローラ７１が接触することにより、必要な画像領域にのみインキを供給しうる構成となっている。また、同様に、インキ供給装置２０ｃ、２０ｄのインキローラ７１も、図示しないカム等の作用で揺動動作を行う。そして、この揺動動作により、第２の版胴１２の外周部に保持した印刷版Ｐに形成された２個の画像領域６７ｃ、６７ｄのうちの任意の画像領域に、インキ供給装置２０ｃまたは２０ｄのインキローラ７１が接触することにより、必要な画像領域にのみインキを供給しうる構成となっている。
【００２０】
湿し水供給装置２１ａ、２１ｂ、２１ｃおよび２１ｄ（これらを総称する場合には「湿し水供給装置２１」という）は、上記インキ供給装置２０により印刷版Ｐにインキを供給する前に、印刷版Ｐに湿し水を供給するものである。これらの湿し水装置２１のうち、湿し水供給装置２１ａは印刷版Ｐにおける画像領域６７ａに、湿し水供給装置２１ｂは印刷版Ｐにおける画像領域６７ｂに、湿し水供給装置２１ｃは印刷版Ｐにおける画像領域６７ｃに、また、湿し水供給装置２１ｄは印刷版Ｐにおける画像領域６７ｄに、各々湿し水を供給する。
【００２１】
画像記録位置に移動した第１の版胴１１または第２の版胴１２の下方には、現像処理装置２６が配設されている。この現像処理装置２６は、現像部、定着部および絞り部を有し、図１において二点鎖線で示す待機位置と実線で示す現像処理位置との間を昇降可能に構成されている。
【００２２】
この現像処理装置２６によって画像記録装置２５により画像が記録された印刷版Ｐを現像処理する場合においては、第１の版胴１１または第２の版胴とともに回転する印刷版Ｐに対して、現像部、定着部および絞り部を順次接触させる。
【００２３】
第１、第２の版胴１１、１２と当接可能に設けられた第１、第２のブランケット胴１３、１４は、第１、第２の版胴１１、１２と同一の直径を有し、その外周部にはインキ転写用のブランケットが装着されている。そして、この第１、第２のブランケット胴１３、１４は、第１、第２の版胴１１、１２および圧胴１５に対し、図示しない胴入れ機構により接離自在な構成となっている。
【００２４】
なお、第１、第２のブランケット胴１３、１４にブランケット５０１を装着するためのブランケット装着装置および第１、第２のブランケット胴１３、１４にブランケット５０１を容易に装着するためのブランケット５０１の巻き取り機構５０２等の構成については、後程詳細に説明する。
【００２５】
第１、第２のブランケット胴１３、１４の間に配設されたブランケット洗浄装置２９は、巻き出しロールから複数の圧接ローラを介して巻き取りロールに至る経路に貼張された長尺の洗浄布に洗浄液を供給し、この洗浄布を第１、第２のブランケット胴１３、１４に対して当接させた上、摺動させることにより、第１、第２のブランケット胴１３、１４の表面を洗浄するものである。
【００２６】
第１、第２のブランケット胴１３、１４と当接可能に設けられた圧胴１５は、第１、第２の版胴１１、１２および第１、第２のブランケット胴１３、１４の直径の１／２の直径を有する。また、圧胴１５は、印刷用紙の先端を保持して搬送するための図示しないグリッパを有する。
【００２７】
また、圧胴１５に隣接して配設された給紙胴１６は、圧胴１５と同一の直径を有する。この給紙胴１６は、往復移動する吸着盤７４により給紙部２７から１枚ずつ供給された印刷用紙の先端部を図示しないグリッパにより保持して搬送する。グリッパにより保持された印刷用紙の先端部は、給紙胴１６から圧胴１５への印刷用紙の受け渡し時に、圧胴１５のグリッパにより保持される。
【００２８】
また、圧胴１５に隣接して配設された排紙胴１７は、圧胴１５と同一の直径を有する。この排紙胴１７は、その両端部に一対のチェーン１９を巻回した構造を有し、この一対のチェーン１９を連結する図示しない連結部材上に、各々グリッパが配設されている。圧胴１５のグリッパにより保持された印刷用紙の先端部は、圧胴１５から排紙胴１７への印刷用紙の受け渡し時に、排紙胴１７のいずれかのグリッパにより保持される。そして、この印刷用紙は、チェーン１９の移動に伴って排紙部２８上に搬送されて排出される。
【００２９】
前記給紙胴１６は、図示しないベルトを介して駆動モータと連結されている。そして、給紙胴１６、圧胴１５、排紙胴１７、第１、第２のブランケット胴１３、１４は、各々その端部に付設された歯車により連結されている。さらに、第１のブランケット胴１３と第１の印刷位置に移動した第１の版胴１１、および、第２のブランケット胴１４と第２の印刷位置に移動した第２の版胴１２とは、その端部に付設された歯車により各々連結されている。従って、図示しない駆動モータの駆動により、これらの給紙胴１６、圧胴１５、排紙胴１７、第１、第２のブランケット胴１３、１４、第１、第２の版胴１１、１２は、互いに同期して回転する。
【００３０】
図３は、この印刷装置の主要な電気的構成を示すブロック図である。この印刷装置は、装置の制御に必要な動作プログラムが格納されたＲＯＭ１４１と、制御時にデータ等が一時的にストアされるＲＡＭ１４２と、論理演算を実行するＣＰＵ１４３とからなる制御部１４０を備える。この制御部は１４０は、インタフェース１４４を介して、インキ供給装置２０、画像記録装置２５、現像処理装置２６、ブランケット洗浄装置２９、第１、第２のブランケット胴１３、１４の胴入れ機構等における駆動部等の駆動信号を発生させる駆動回路１４５と接続されている。印刷装置はこの制御部１４０により制御され、後述する製版動作および印刷動作を実行する。
【００３１】
次に、この印刷装置による製版および印刷動作について説明する。図４は、この印刷装置による製版および印刷動作の概要を示すフローチャートである。なお、この印刷および製版動作は、印刷用紙にイエロー、マゼンタ、シアン、ブラックの４色のインキで多色印刷を行う場合のものである。
【００３２】
まず、第１、第２の版胴１１、１２上において印刷版Ｐに画像を記録し、現像処理を行う製版工程を実行する（ステップＳ１）。この製版工程は、サブルーチンとしての図５のフローチャートに示す工程に従って実行される。
【００３３】
すなわち、最初に第１の版胴１１を、図１において二点鎖線で示す画像記録位置に移動させる（ステップＳ１１）。
【００３４】
次に、第１の版胴１１の外周に印刷版Ｐを供給する（ステップＳ１２）。この印刷版Ｐの供給は、供給カセット６３から引き出した印刷版Ｐの先頭部とカッター６６で切断された印刷版Ｐの後端部とを図示しない一対のくわえ爪でくわえることにより実行される。
【００３５】
続いて、第１の版胴１１の外周に保持された印刷版Ｐに画像を記録する（ステップＳ１３）。この画像の記録は、第１の版胴１１を低速で回転させるとともに、画像記録装置２５から第１の版胴１１の外周に保持された印刷版Ｐに変調されたレーザビームを照射することにより実行される。
【００３６】
次に、画像が記録された印刷版Ｐを現像処理する（ステップＳ１４）。この現像処理は、現像処理装置２６を図１において二点鎖線で示す待機位置から実線で示す現像処理位置まで上昇させた後、第１の版胴１１とともに回転する印刷版Ｐに対して、現像部、定着部および絞り部を順次接触させることにより実行される。
【００３７】
上記現像処理が終了すれば、第１の版胴１１を図１において実線で示す第１の印刷位置まで移動させる（ステップＳ１５）。
【００３８】
続いて、上記ステップＳ１１〜１５と同様の動作により、第２の版胴１２の外周に保持される印刷版Ｐに対する製版工程を実行する（ステップＳ１６〜２０）。  そして、第１、第２の版胴１１、１２の外周に保持される印刷版Ｐへの製版が終了すれば、製版工程を終了する。
【００３９】
再度図４を参照して、製版工程が完了すれば、第１、第２の版胴１１、１２上の印刷版Ｐを用いて印刷用紙に印刷を行う印刷工程を実行する（ステップＳ２）。この印刷工程は、次のようにして実行される。
【００４０】
すなわち、先ず、各湿し水供給装置２１および各インキ供給装置２０を第１、第２の版胴１１、１２上に保持された印刷版Ｐのうちの対応する画像領域とのみ当接させる。これにより、各画像領域６７ａ、６７ｂ、６７ｃ、６７ｄには対応する各湿し水供給装置２１および各インキ供給装置２０から湿し水とインキとが供給される。そして、印刷版Ｐに供給されたインキは、第１、第２のブランケット胴１３、１４の対応する領域に転写される。
【００４１】
そして、印刷用紙を給紙胴１６に供給する。この印刷用紙は、給紙胴１６から圧胴１５に渡される。この状態で、圧胴１５が回転を続けると、圧胴１５は、第１、第２の版胴１１、１２および第１、第２のブランケット胴１３、１４の１／２の直径を有することから、圧胴１５の外周部に保持された印刷用紙には、その１回転目においてブラックとシアンのインキが、また、その２回転目においてマゼンタとイエローのインキが転写される。
【００４２】
このようにして、４色の印刷が終了した印刷用紙の先端部は、圧胴１５から排紙胴１７に渡される。そして、４色の印刷が終了した印刷用紙は、一対のチェーン１９の駆動により、排紙胴１７のグリッパとともに排紙部２８上まで搬送されて排出される。
【００４３】
印刷工程が終了すれば、印刷に使用した印刷版Ｐを排出する（ステップＳ３）。この印刷版Ｐの排出を行うためには、最初に第１の版胴１１を、図１において二点鎖線で示す画像記録位置に移動させる。そして、第１の版胴１１を反時計回りに回転させるとともに、第１の版胴１１上に保持された印刷版Ｐの端部を爪機構７３により剥がした後、この印刷版Ｐをコンベア機構６９により案内して、排出カセット６８内に排出する。そして、第１の版胴１１を第１の印刷位置に復帰させた後、第２の版胴１２を第２の印刷位置から画像記録位置に移動させ、上記同様の動作を実行することにより、第２の版胴１２上に保持された印刷版Ｐを排出カセット６８内に排出する。
【００４４】
印刷版Ｐの排出工程が完了すれば、ブランケット胴洗浄装置２９により第１、第２のブランケット胴１３、１４を洗浄する（ステップＳ４）。
【００４５】
第１、第２のブランケット胴１３、１４の洗浄が終了すれば、さらに別の印刷物の印刷作業を行うか否かを確認する（ステップＳ５）。他の印刷作業を行う場合には、ステップ１〜４の動作を繰り返す。
【００４６】
印刷作業が終了した場合には、インキの洗浄を行う（ステップＳ６）。このインキの洗浄は、各インキ供給装置２０に配設された図示しないインキ洗浄装置により、各インキ供給装置２０におけるインキローラ７１やインキつぼ７２に付着するインキを除去および洗浄することにより実行される。
【００４７】
インキの洗浄工程が終了すれば、全ての工程を完了する。
【００４８】
次に、この発明に係るブランケット装着装置の構成について説明する。図６は第１のブランケット胴１３における胴あき部５０５付近の側面概要図であり、図７はその平面図である。なお、以下の説明においては、第１のブランケット胴１３におけるブランケット装着装置の構成について説明するが、第２のブランケット胴１４についても、同一の構成を有するブランケット装着装置が採用されている。
【００４９】
このブランケット装着装置は、第１のブランケット胴１３における胴あき部５０５内に配設された先端部保持機構５０６および後端部保持機構５０７を有する。この先端部保持機構５０６は、ブランケット５０１の先端部に付設された装着用金具５０３を挿入することによりこの装着用金具５０３を固定するためのものであり、後端部持機構５０７は、ブランケット５０１の後端部に付設された装着用金具５０４と係合した状態でブランケット５０１を当該ブランケット５０１が張力を付与される方向に牽引するためのものである。
【００５０】
なお、この明細書においては、説明の便宜上、ブランケット５０１の一方の端部を先端部と呼称し、ブランケット５０１の他方の端部を後端部と呼称している。
【００５１】
前記先端部保持機構５０６は、胴あき部５０５における側壁５０８に形成された凹部からなる段差部５０９と、第１のブランケット胴１３の軸線方向に延びる軸５１０を中心に回動することにより、装着用金具５０３を段差部５０９に向けて押圧する押圧位置とこの押圧位置から退避した退避位置との間を移動可能な偏芯カム５１１と、この偏芯カム５１１を押圧位置に向けて付勢するコイルバネ５１２と、偏芯カム５１１に立設されたレバー５１３と、このレバー５１３と当接することによりコイルバネ５１２の作用によるレバー５１３、すなわち偏芯カム５１１の回転位置を規制する当たり部材５１４とを有する。
【００５２】
この先端部保持機構５０６にブランケット５０１の先端部に付設された装着用金具５０３を挿入することによりこの装着用金具５０３を固定する動作は、以下のようにして実行される。
【００５３】
すなわち、図６において矢印で示すように、ブランケット５０１の先端部に付設された装着用金具５０３を、偏芯カム５１１と胴あき部５０５の側壁５０８との間の隙間に挿入する。これにより、図８に示すように、偏芯カム５１１が軸５１０を中心に回動することにより、偏芯カム５１１と胴あき部５０５の側壁５０８との間の間隔が大きくなる。
【００５４】
この状態において、図８において矢印で示すように、ブランケット５０１の先端部に付設された装着用金具５０３を、偏芯カム５１１と胴あき部５０５の側壁５０８との間の隙間にさらに進入させる。これにより、ブランケット５０１の先端に付設された装着用金具５０３のブランケット５０１側の端部が段差部５０９の端部５１５を通過すると、装着用金具５０３が偏芯カム５１１の押圧力により段差部５０９側に移動し、図９に示すように、装着用金具５０３のブランケット５０１側の端部が段差部５０９の端部５１５と係合し、装着用金具５０３をブランケット５０１と共に胴あき部５０５内において固定する。
【００５５】
従って、この先端部保持機構５０６によれば、ブランケット５０１の先端部に付設された装着用金具５０３を挿入するのみで、ブランケット５０１の先端部を固定することが可能となる。
【００５６】
なお、この装着用金具５０３の固定状態を開放するには、偏芯カム５１１に立設されたレバー５１３を図９に示す状態から上方に移動させる。これにより、偏芯カム５１１が軸５１０を中心に反時計方向に回動する。そして、この偏芯カム５１１の回動に伴って、偏芯カム５１１と胴あき部５０５の側壁５０８との間の間隔が大きくなり、ブランケット５０１の先端に付設された装着用金具５０３を偏芯カム５１１と胴あき部５０５の側壁５０８との間の隙間を通過させて取り外すことが可能となる。
【００５７】
再度図６および図７を参照して、前記後端部保持機構５０７は、胴あき部内５０５において第１のブランケット胴１３の軸線方向に向けて配設され、ブランケット５０１の後端部に付設された装着用金具５０４を挿入するための溝部５１６を有する取付軸５１７と、この取付軸５１７の端部に配設されたウォームホイール５１８と、このウォームホイール５１８と連結するウォームギヤ５１９とを有する。
【００５８】
この後端部保持機構５０７により、ブランケット５０１を、当該ブランケット５０１が張力を付与される方向に牽引する動作は、以下のようにして実行される。
【００５９】
すなわち、図９において矢印で示すように、すでにその先端部が先端部保持機構５０６により保持されたブランケット５０１の後端部に付設された装着用金具５０４を、取付軸５１７における溝部５１６内に挿入する。そして、この状態においてウォームギヤ５１９端部に配設されたナット５２１を介してウォームギヤ５１９を回転させることにより、ウォームホイール５１８を介して取付軸５１７を図１０に示す矢印方向に回転させる。これにより、ブランケット５０１の後端部に付設された装着用金具５０４が溝部５１６内で固定されると共に、ブランケット５０１は張力を付与される方向に牽引される。
【００６０】
なお、この装着用金具５０４の固定、牽引状態を開放するには、ナット５２１を介してウォームギヤ５１９を逆方向に回転させればよい。
【００６１】
次に、第１、第２のブランケット胴１３、１４にブランケット５０１を容易に装着するためのブランケット５０１の巻き取り機構５０２の構成について説明する。
【００６２】
図１１は巻き取り機構５０２の側面図であり、図１２は巻き取り機構５０２の部分断面図である。また、図１３は巻き取り機構５０２を印刷装置本体における一対の側板３７に固定した状態を示す概要図であり、図１４は巻き取り機構５０２における巻き取り軸５２２にブランケット５０１を巻き取った状態を示す概要図である。
【００６３】
図１１および図１２に示すように、この巻き取り機構５０２は、ブランケット５０１の後端部に付設された装着用金具５０４を保持するための保持溝５２３が形成された巻き取り軸５２２と、この巻き取り軸５２２の一端に付設された位置決めピン５２４と、巻き取り軸５２２の他端と軸５２８を介して接続付設されたハンドル５２５と、巻き取り軸５２２とハンドル５２５との間の位置において軸５２８を回転可能に支持する位置決め板５２６とを有する。
【００６４】
なお、位置決め板５２６には、ブレーキシュー５２７を軸５２８に押しつけるためのネジ５２９が配設されている。このため、軸５２８はブレーキシュー５２７により所定の制動力を付与される。
【００６５】
一方、図１３に示すように、印刷装置本体における一対の側板３７の一方には、巻き取り機構５０２の位置決めピン５２４を挿入することにより位置決めするための孔部５３１を有する位置決めブロック５３２が配設されている。また、印刷装置本体における他方の側板３７には、巻き取り機構５０２の位置決め板５２６に形成された孔部５３３（図１１参照）に係合する位置決めピン５３４を有する位置決めブロック５３５が配設されている。なお、巻き取り機構５０２の位置決め板５２６には、この位置決め板５２６を、必要に応じ、位置決めブロック５３５にネジ止めするための一対の孔部５３６が形成されている。
【００６６】
巻き取り機構５０２を印刷装置本体に固定する場合においては、巻き取り機構５０２の位置決めピン５２４を位置決めブロック５３２の孔部５３１に挿入すると共に、位置決めブロック５３５の位置決めピン５３４を位置決め板５２６の孔部５３３に挿入する。これにより、巻き取り機構５０２は、その巻き取り軸５２２が第１のブランケット胴１３または第２のブランケット胴１４と略平行となった状態で、印刷装置本体における一対の側板３７間に固定される。
【００６７】
次に、上述した巻き取り機構５０２およびこの発明に係るブランケット装着装置を利用して第１のブランケット胴１３または第２のブランケット胴１４にブランケット５０１を装着する装着動作について説明する。図１５〜図１８は、ブランケット５０１の装着行程を示す説明図である。
【００６８】
第１のブランケット胴１３または第２のブランケット胴１４にブランケット５０１を装着するにあたっては、図１４に示すように、巻き取り機構５０２における巻き取り軸５２２に予めブランケット５０１を巻き取っておく。このブランケット５０１の巻き取りは、オペレータが、ブランケット５０１の後端部に付設された装着用金具５０４を巻き取り軸５２２に形成された保持溝５２３に挿入すると共に、巻き取り軸５２２を回転させることにより実行する。
【００６９】
そして、図１３に示すように、ブランケット５０１を巻き取った状態の巻き取り機構５０２を、印刷装置本体における一対の側板３７に固定する。この巻き取り機構５０２の固定は、上述したように、巻き取り機構５０２の位置決めピン５２４を位置決めブロック５３２の孔部５３１に挿入すると共に、位置決めブロック５３５の位置決めピン５３４を位置決め板５２６の孔部５３３に挿入することにより実行される。
【００７０】
なお、上述した巻き取り機構５０２の固定行程において、ブランケット５０１は巻き取り機構５０２の巻き取り軸５２２に予め巻き取られた状態となっている。このため、このブランケット５０１を巻き取り機構５０２と共に、第１のブランケット胴１３または第２のブランケット胴１４の側面側から印刷装置本体内部に挿入して、巻き取り軸５２２を第１のブランケット胴１３または第２のブランケット胴１４に対して略平行とした状態で印刷装置本体に固定することが可能となる。このため、第１のブランケット胴１３または第２のブランケット胴１４付近に十分なスペースがない場合においても、ブランケット胴５０１を印刷装置本体内部に進入させることが可能となる。
【００７１】
この状態においては、図１５に示すように、ブランケット５０１を巻き取った状態の巻き取り機構５０２は、第１のブランケット胴１３または第２のブランケット胴１４に配設された先端部保持機構５０６の上方に位置している。
【００７２】
次に、図１６に示すように、ブランケット５０１の先端部に付設された装着用金具５０３を、先端部保持機構５０６により保持する。この装着用金具５０３の保持は、上述したように、装着用金具５０３を先端部保持機構５０６における偏芯カム５１１と胴あき部５０５の側壁５０８との間の隙間に挿入することにより実行される。
【００７３】
この状態において、図示しないモータの駆動により、第１のブランケット胴１３または第２のブランケット胴１４を回転させる。これにより、図１７に示すように、巻き取り機構５０２の巻き取り軸５２２に巻き取られた状態のブランケット５０１が、第１のブランケット胴１３または第２のブランケット胴１４の外周に巻き出される。
【００７４】
この状態においては、巻き取り機構５０２における巻き取り軸５２２は、第１のブランケット胴１３または第２のブランケット胴１４の回転と同期して回転する。このとき、巻き取り軸５２２の回転に対して、上述したブレーキシュー５２７およびネジ５２９の作用による制動力が付与されている。このため、ブランケット５０１を、第１のブランケット胴１３または第２のブランケット胴１４の外周部に対し、蛇行を生じさせることなく正確に巻き出すことが可能となる。
【００７５】
この状態において第１のブランケット胴１３または第２のブランケット胴１４がさらに回転を続け、図１８に示すように、巻き取り機構５０２が第１のブランケット胴１３または第２のブランケット胴１４に配設された後端部保持機構５０７の上方に位置した状態となれば、第１のブランケット胴１３または第２のブランケット胴１４の回転を停止する。
【００７６】
続いて、巻き取り機構５０２における巻き取り軸５２２に形成された保持溝５２３からブランケット５０１の後端部に付設された装着用金具５０４を取り外す。そして、この装着用金具５０４を、第１のブランケット胴１３または第２のブランケット胴１４に配設された後端部保持機構５０７により保持する。この装着用金具５０４の保持は、上述したように、装着用金具５０４を後端部保持機構５０７における取付軸５１７の溝部５１６内に挿入した後、取付軸５１７を回転させてブランケット５０１に張力を付与することにより実行される。
【００７７】
以上の行程を完了することにより、第１のブランケット胴１３または第２のブランケット胴１４の外周部にブランケット５０１が張力を付与された状態で装着される。第１のブランケット胴１３または第２のブランケット胴１４に対するブランケット５０１の装着が終了すれば、巻き取り機構５０２を印刷装置本体より取り外す。
【００７８】
次に、上述した巻き取り機構５０２およびこの発明に係るブランケット装着装置を利用して第１のブランケット胴１３または第２のブランケット胴１４からブランケット５０１を取り外す取り外し動作について説明する。
【００７９】
先ず、図１８に示すように、印刷装置本体における側板３７に固定された巻き取り機構５０２が第１のブランケット胴１３または第２のブランケット胴１４に配設された後端部保持機構５０７の上方に位置した状態において、後端部保持機構５０７からブランケット５０１の後端部に付設された装着用金具５０４を取り外す。この装着用金具５０４の取り外しは、ナット５２１を操作して取付軸５１７を回転させることにより実行される。そして、この装着用金具５０４を、巻き取り機構５０２における巻き取り軸５２２に形成された保持溝５２３内に挿入する。
【００８０】
次に、図示しないモータの駆動により、第１のブランケット胴１３または第２のブランケット胴１４を、上述したブランケット５０１の装着時とは逆方向に回転させると共に、オペレータが巻き取り機構５０２のハンドル５２５を操作することにより、巻き取り軸５２２を回転させる。これにより、第１のブランケット胴１３または第２のブランケット胴１４の外周部に装着されたブランケット５０１が、巻き取り機構５０２の巻き取り軸５２２により巻き取られる。
【００８１】
この状態において第１のブランケット胴１３または第２のブランケット胴１４が回転を続け、図１６に示すように、ブランケット５０１を巻き取った状態の巻き取り機構５０２が第１のブランケット胴１３または第２のブランケット胴１４に配設された先端部保持機構５０６の上方に位置する状態となれば、第１のブランケット胴１３または第２のブランケット胴１４の回転を停止する。
【００８２】
そして、第１のブランケット胴１３または第２のブランケット胴１４における先端部保持機構５０６からブランケット５０１の先端部に付設された装着用金具５０３を取り外す。この装着用金具５０３の取り外しは、偏芯カム５１１に立設されたレバー５１３を図９に示す状態から上方に移動させることにより実行される。
【００８３】
以上の行程を完了することにより、第１のブランケット胴１３または第２のブランケット胴１４の外周部に装着されたブランケット５０１が第１のブランケット胴１３または第２のブランケット胴１４から取り外され、巻き取り機構５０２の巻き取り軸５２２に巻き取られる。第１のブランケット胴１３または第２のブランケット胴１４からのブランケット５０１の取り外しが終了すれば、巻き取り機構５０２をブランケット５０１と共に印刷装置本体より取り外す。
【００８４】
このとき、ブランケット５０１は巻き取り機構５０２の巻き取り軸５２２に予め巻き取られた状態となっていることから、第１のブランケット胴１３または第２のブランケット胴１４付近に十分なスペースがない場合においても、巻き取り機構を第１のブランケット胴１３または第２のブランケット胴１４ブランケット胴と平行な方向に移動させることにより、ブランケット５０１を印刷装置本体内部から容易に取り出すことが可能となる。
【００８５】
【発明の効果】
請求項１および請求項２に記載の発明によれば、ブランケットの先端部に付設された装着用金具を挿入することにより当該装着用金具を固定する先端部保持機構と、ブランケットの後端部に付設された装着用金具と係合した状態でブランケットを当該ブランケットが張力を付与される方向に牽引する後端部保持機構とを備えたことから、ブランケット胴に対するブランケットの装着を極めて容易に行うことが可能となる。
【図面の簡単な説明】
【図１】この発明に係る印刷装置の側面概要図である。
【図２】印刷版Ｐ上における画像領域６７の配置を示す説明図である。
【図３】印刷装置の主要な電気的構成を示すブロック図である。
【図４】印刷装置による製版および印刷動作の概要を示すフローチャートである。
【図５】製版工程を示すフローチャートである。
【図６】胴あき部５０５付近の側面概要図である。
【図７】胴あき部５０５付近の平面図である。
【図８】胴あき部５０５付近の側面概要図である。
【図９】胴あき部５０５付近の側面概要図である。
【図１０】胴あき部５０５付近の側面概要図である。
【図１１】巻き取り機構５０２の側面図である。
【図１２】巻き取り機構５０２の部分断面図である。
【図１３】巻き取り機構５０２を印刷装置本体に固定した状態を示す概要図である。
【図１４】巻き取り機構５０２における巻き取り軸５２２にブランケット５０１を巻き取った状態を示す概要図である。
【図１５】ブランケット５０１の装着行程を示す説明図である。
【図１６】ブランケット５０１の装着行程を示す説明図である。
【図１７】ブランケット５０１の装着行程を示す説明図である。
【図１８】ブランケット５０１の装着行程を示す説明図である。
【符号の説明】
１１      第１の版胴
１２      第２の版胴
１３      第１のブランケット胴
１４      第２のブランケット胴
１５      圧胴
１６      給紙胴
１７      排紙胴
２０      インキ供給装置
２１      湿し水供給装置
２３      給版部
２４      排版部
２５      画像記録装置
２６      現像処理装置
２７      給紙部
２８      排紙部
５０１    ブランケット
５０２    巻き取り機構
５０３    装着用金具
５０４    装着用金具
５０５    胴あき部
５０６    先端部保持機構
５０７    後端部保持機構
５０９    段差部
５１０    軸
５１１    偏芯カム
５１２    コイルバネ
５１３    レバー
５１６    溝部
５１７    取付軸
Ｐ        印刷版
【図１】
0003561399.tif 000002
【図２】
0003561399.tif 000003
【図３】
0003561399.tif 000004
【図４】
0003561399.tif 000005
【図５】
0003561399.tif 000006
【図６】
0003561399.tif 000007
【図７】
0003561399.tif 000008
【図８】
0003561399.tif 000009
【図９】
0003561399.tif 000010
【図１０】
0003561399.tif 000011
【図１１】
0003561399.tif 000012
【図１２】
0003561399.tif 000013
【図１３】
0003561399.tif 000014
【図１４】
0003561399.tif 000015
【図１５】
0003561399.tif 000016
【図１６】
0003561399.tif 000017
【図１７】
0003561399.tif 000018
【図１８】
0003561399.tif 000019